(57)【要約】【課題】  携帯端末の存在域が通信可能範囲内外かに応じて、操作部に表示すべき機能設定画面表示を決定することができ、個人認証機器と成り得る携帯端末と通信を行うことで画像形成装置の操作部（機能）を個人用にカスタマイズできることである。【解決手段】  携帯端末４１２，４１３等と画像入出力システム１００が双方の通信手段を用いて無線通信を行い、制御部１１０が両者が通信可能範囲内での存在を確認し、該確認結果とＩＤ情報に基づいて、決定されたカスタマイズ機能選択画面を操作部１５０に表示することにより、携帯端末の存在域が通信可能範囲内外かに応じて、操作部１５０に表示すべき機能設定画面表示を決定する構成を特徴とする。【選択図】  図１
2005114790.tif 000002
【特許請求の範囲】
【請求項１】
ＩＤ情報を記憶するＩＤ情報記憶手段と、無線通信が可能な通信手段と、情報を表示できる表示部とを有する携帯端末と、無線通信が可能な通信手段と、情報を表示できる操作部とを有する画像形成装置とが通信可能な画像形成システムであって、
ＩＤ情報を元に表示する機能を決定する機能表示決定手段と、
前記携帯端末と前記画像形成装置が双方の通信手段を用いて無線通信を行い、両者が通信可能範囲内での存在を確認する確認手段と、
前記確認手段による確認結果と前記ＩＤ情報に基づいて、前記機能表示決定手段により決定されたカスタマイズ機能選択画面を前記操作部に表示する制御手段と、
を備えることを特徴とする画像形成システム。
【請求項２】
前記制御手段は、前記確認手段により前記携帯端末と前記画像形成装置とが通信可能範囲内に存在すると確認した場合、投入したジョブの状態を前記操作部に表示可能であることを特徴とする請求項１記載の画像形成システム。
【請求項３】
前記制御手段は、前記確認手段により前記携帯端末と前記画像形成装置とが通信可能範囲外に存在すると確認した場合、前記操作部にあらかじめ決められた内容の画面を表示することを特徴とする請求項１記載の画像形成システム。
【請求項４】
前記制御手段は、前記確認手段により前記携帯端末と前記画像形成装置とが通信可能範囲外に存在すると確認した場合、ジョブの状態を前記操作部に表示することなく、双方の前記通信手段を用いて投入したジョブの状態を前記携帯端末に通知し、前記携帯端末の前記表示部にジョブの状態を表示することを特徴とする請求項１記載の画像形成システム。
【請求項５】
前記制御手段は、前記確認手段により前記携帯端末と前記画像形成装置とが通信可能範囲外に存在すると確認した場合、前記操作部に情報表示を行わないことを特徴とする請求項１記載の画像形成システム。
【請求項６】
前記制御手段は、前記確認手段により前記通信範囲内に複数の前記携帯端末が存在することを確認した場合は、先に検知した方の携帯端末による機能表示を有効とすることを特徴とする請求項１記載の画像形成システム。
【請求項７】
ＩＤ情報を記憶するＩＤ情報記憶手段と、無線通信が可能な通信手段と、情報を表示できる表示部とを有する携帯端末と通信する通信手段を備える画像形成装置であって、
情報を表示できる操作部と、
ＩＤ情報を元に表示する機能を決定する機能表示決定手段と、
前記携帯端末と前記画像形成装置が双方の通信手段を用いて無線通信を行い、両者が通信可能範囲内での存在を確認する確認手段と、
前記確認手段による確認結果と前記ＩＤ情報に基づいて、前記機能表示決定手段により決定されたカスタマイズ機能選択画面を前記操作部に表示する制御手段と、
を備えることを特徴とする画像形成装置。
【請求項８】
前記制御手段は、前記確認手段により前記携帯端末と前記画像形成装置とが通信可能範囲内に存在すると確認した場合、投入したジョブの状態を前記操作部に表示可能であることを特徴とする請求項７記載の画像形成装置。
【請求項９】
前記制御手段は、前記確認手段により前記携帯端末と前記画像形成装置とが通信可能範囲外に存在すると確認した場合、前記操作部にあらかじめ決められた内容の画面を表示することを特徴とする請求項７記載の画像形成装置。
【請求項１０】
前記制御手段は、前記確認手段により前記携帯端末と前記画像形成装置とが通信可能範囲外に存在すると確認した場合、ジョブの状態を前記操作部に表示することなく、双方の前記通信手段を用いて投入したジョブの状態を前記携帯端末に通知することを特徴とする請求項７記載の画像形成装置。
【請求項１１】
前記制御手段は、前記確認手段により前記携帯端末と前記画像形成装置とが通信可能範囲外に存在すると確認した場合、前記操作部に情報表示を行わないことを特徴とする請求項７記載の画像形成装置。
【請求項１２】
前記制御手段は、前記確認手段により前記通信範囲内に複数の前記携帯端末が存在することを確認した場合は、先に検知した方の携帯端末による機能表示を有効とすることを特徴とする請求項７記載の画像形成装置。
【請求項１３】
ＩＤ情報を記憶するＩＤ情報記憶手段と、無線通信が可能な通信手段と、情報を表示できる表示部とを有する携帯端末と、Ｉ無線通信が可能な通信手段と、情報を表示できる操作部とを有する画像形成装置とが通信可能な画像形成システムにおける表示制御方法であって、
ＩＤ情報を元に表示する機能を決定する機能表示決定ステップと、
前記携帯端末と前記画像形成装置が双方の通信手段を用いて無線通信を行い、両者が通信可能範囲内での存在を確認する確認ステップと、
前記確認ステップによる確認結果と前記ＩＤ情報に基づいて、前記機能表示決定ステップにより決定されたカスタマイズ機能選択画面を前記操作部に表示する制御ステップと、
を備えることを特徴とする表示制御方法。
【請求項１４】
ＩＤ情報を記憶するＩＤ情報記憶手段と、無線通信が可能な通信手段と、情報を表示できる表示部とを有する携帯端末と、情報を表示できる操作部と、通信する通信手段とを備える画像形成装置における表示制御方法であって、
ＩＤ情報を元に表示する機能を決定する機能表示決定ステップと、
前記携帯端末と前記画像形成装置が双方の通信手段を用いて無線通信を行い、両者が通信可能範囲内での存在を確認する確認ステップと、
前記確認ステップによる確認結果と前記ＩＤ情報に基づいて、前記機能表示決定ステップにより決定されたカスタマイズ機能選択画面を前記操作部に表示する制御ステップと、
を備えることを特徴とする表示制御方法。
【請求項１５】
請求項１３または１４記載の表示制御方法を実現するプログラムを記憶したことを特徴とするコンピュータが読み取り可能な記憶媒体。
【請求項１６】
請求項１３または１４記載の表示制御方法を実現することを特徴とするプログラム。
【発明の詳細な説明】
【技術分野】
【０００１】
本発明は、ＩＤ情報を記憶するＩＤ情報記憶手段と、無線通信が可能な通信手段と、情報を表示できる表示部とを有する携帯端末と、無線通信が可能な通信手段と、情報を表示できる操作部とを有する画像形成装置とが通信可能な画像形成システムおよび画像形成装置およびコンピュータが読み取り可能なプログラムを格納した記憶媒体およびプログラムに関するものである。
【背景技術】
【０００２】
無線通信を利用した携帯端末と画像形成装置等の画像形成システムにおいて、セキュリティ印刷処理を達成する場合、何らかの認証処理が必要となる。
【０００３】
従来、本人確認の認証技術としては、特許文献１，２がすでに公開されており、該文献１に開示にはＰＯＳ装置に関する発明が開示されている。
【０００４】
そして、該文献１は、非接触ＩＣカードと無線通信を行い、資格等の個人情報を読み取り、操作制限を行うというものである。
【０００５】
また、文献２に開示されている発明では、予め個人情報を登録しておき、指紋認証を行って複写機能の制御を切替えるというものがある。
【特許文献１】特開平５−３４２４７９号公報
【特許文献２】特開２００２−３４４６８１号公報
【発明の開示】
【発明が解決しようとする課題】
【０００６】
しかしながら、特許文献１に開示される発明では、ＰＯＳ装置に特化して記載された技術で、無線で読み取った個人情報を元に操作制限を行うが、認証すべき本人が検知範囲外にいる場合を想定した技術は、一切記載されていない。
【０００７】
また、特許文献２に開示される発明では、本人を指紋認証に限定された技術であり、故に無線通信を伴うシステムへの応用技術は何ら記載されていないとともに、上記のように検知範囲が制限されるようなシステムでの認証処理については何ら記載されていない。
【０００８】
また、機能の表示切り替えについて記載してあるが、表示するフォントや言語、点滅表示など、見せ方についての技術であり、機能そのものを切替える技術ではなかった。
【０００９】
つまり、無線ＬＡＮ等で画像形成システムを構成した場合に、何らかのセキュリィティ処理を行うために、本人を認証する場合、その本人が検知可能な範囲の外に出た場合は、何らジョブ処理が実行可能である等の連絡を行えず、ジョブの実行が遅延してしまう等の問題点があった。このため、ジョブを要求したユーザは、画像形成システムの検知範囲内に留まることを余儀なくされ、スムーズにワーク処理を行えないとともに、ユーザに必要以上に移動を制限して、負担が重いという問題点があった。
【００１０】
さらに、ユーザが画像形成装置の近くにいる場合でも、無駄な通信が発生して利便性を損ない、通信トラフィックが増大する等の問題点が指摘されていた。
【００１１】
本発明は、上記の問題点を解決するためになされたもので、本発明の目的は、ＩＤ情報を記憶するＩＤ情報記憶手段と、無線通信が可能な通信手段と、情報を表示できる表示部とを有する携帯端末と、無線通信が可能な通信手段と、情報を表示できる操作部とを有する画像形成装置とが通信可能な画像形成システムにおいて、携帯端末と前記画像形成装置が双方の通信手段を用いて無線通信を行い、両者が通信可能範囲内での存在を確認し、該確認結果と前記ＩＤ情報に基づいて、決定されたカスタマイズ機能選択画面を前記操作部に表示することにより、携帯端末の存在域が通信可能範囲内外かに応じて、操作部に表示すべき機能設定画面表示を決定することができ、個人認証機器と成り得る携帯端末と通信を行うことで画像形成装置の操作部（機能）を個人用にカスタマイズできる。
【００１２】
また、携帯端末が検知範囲外に出た場合でも、対象携帯端末には電子メールなどの通信方法でジョブ状況が通知されるため、ジョブ中に、画像形成装置に張り付いている必要がなくなるとともに、逆に、画像形成装置の近くにいる場合は、ジョブ状況が表示され一目瞭然であると共に、無駄な通信が発生せず、利便性の向上とトラフィックの軽減に貢献できる画像形成システムおよび画像形成装置およびコンピュータが読み取り可能なプログラムを格納した記憶媒体およびプログラムを提供することである。
【課題を解決するための手段】
【００１３】
本発明に係る第１の発明は、ＩＤ情報を記憶するＩＤ情報記憶手段（図１０に示すメモリ６００８）と、無線通信が可能な通信手段（図１０に示す外部通信ユニット６０００）と、情報を表示できる表示部（図１０に示す表示部６００９）とを有する携帯端末と、無線通信が可能な通信手段（図３に示す外部通信Ｉ／Ｆ１２１）と、情報を表示できる操作部とを有する画像形成装置とが通信可能な画像形成システムであって、ＩＤ情報を元に表示する機能を決定する機能表示決定手段と、前記携帯端末と前記画像形成装置が双方の通信手段を用いて無線通信を行い、両者が通信可能範囲内での存在を確認する確認手段（図３に示すメインコントローラ１１１）と、前記確認手段による確認結果と前記ＩＤ情報に基づいて、前記機能表示決定手段により決定されたカスタマイズ機能選択画面を前記操作部に表示する制御手段（図３に示すＬＣＤコントローラ１３１）とを備えることを特徴とする。
【００１４】
本発明に係る第２の発明は、前記制御手段は、前記確認手段により前記携帯端末と前記画像形成装置とが通信可能範囲内に存在すると確認した場合、投入したジョブの状態を前記操作部に表示可能であることを特徴とする。
【００１５】
本発明に係る第３の発明は、前記制御手段は、前記確認手段により前記携帯端末と前記画像形成装置とが通信可能範囲外に存在すると確認した場合、前記操作部にあらかじめ決められた内容の画面を表示することを特徴とする。
【００１６】
本発明に係る第４の発明は、前記制御手段は、前記確認手段により前記携帯端末と前記画像形成装置とが通信可能範囲外に存在すると確認した場合、ジョブの状態を前記操作部に表示することなく、双方の前記通信手段を用いて投入したジョブの状態を前記携帯端末に通知し、前記携帯端末の前記表示部にジョブの状態を表示することを特徴とする。
【００１７】
本発明に係る第５の発明は、前記制御手段は、前記確認手段により前記携帯端末と前記画像形成装置とが通信可能範囲外に存在すると確認した場合、前記操作部に情報表示を行わないことを特徴とする。
【００１８】
本発明に係る第６の発明は、前記制御手段は、前記確認手段により前記通信範囲内に複数の前記携帯端末が存在することを確認した場合は、先に検知した方の携帯端末による機能表示を有効とすることを特徴とする。
【００１９】
本発明に係る第７の発明は、ＩＤ情報を記憶するＩＤ情報記憶手段と、無線通信が可能な通信手段と、情報を表示できる表示部とを有する携帯端末と通信する通信手段を備える画像形成装置であって、情報を表示できる操作部（図１に示す操作部１５０）と、ＩＤ情報を元に表示する機能を決定する機能表示決定手段（図３に示すメインコントローラ部１１１）と、前記携帯端末と前記画像形成装置が双方の通信手段を用いて無線通信を行い、両者が通信可能範囲内での存在を確認する確認手段と、前記確認手段による確認結果と前記ＩＤ情報に基づいて、前記機能表示決定手段により決定されたカスタマイズ機能選択画面を前記操作部に表示する制御手段（図３に示すＬＣＤコントローラ１３１）とを備えることを特徴とする。
【００２０】
本発明に係る第８の発明は、前記制御手段は、前記確認手段により前記携帯端末と前記画像形成装置とが通信可能範囲内に存在すると確認した場合、投入したジョブの状態を前記操作部に表示可能である（図１２に示すステップ（Ｓ５０９））ことを特徴とする。
【００２１】
本発明に係る第９の発明は、前記制御手段は、前記確認手段により前記携帯端末と前記画像形成装置とが通信可能範囲外に存在すると確認した場合、前記操作部にあらかじめ決められた内容の画面を表示する（図１２に示すステップ（Ｓ５１１））ことを特徴とする。
【００２２】
本発明に係る第１０の発明は、前記制御手段は、前記確認手段により前記携帯端末と前記画像形成装置とが通信可能範囲外に存在すると確認した場合、ジョブの状態を前記操作部に表示することなく、双方の前記通信手段を用いて投入したジョブの状態を前記携帯端末に通知する（図１３に示すステップ（Ｓ６１３））ことを特徴とする。
【００２３】
本発明に係る第１１の発明は、前記制御手段は、前記確認手段により前記携帯端末と前記画像形成装置とが通信可能範囲外に存在すると確認した場合、前記操作部に情報表示を行わない（図１３に示すステップ（Ｓ６１１））ことを特徴とする。
【００２４】
本発明に係る第１２の発明は、前記制御手段は、前記確認手段により前記通信範囲内に複数の前記携帯端末が存在することを確認した場合は、先に検知した方の携帯端末による機能表示を有効とすることを特徴とする。
【００２５】
本発明に係る第１３の発明は、ＩＤ情報を記憶するＩＤ情報記憶手段と、無線通信が可能な通信手段と、情報を表示できる表示部とを有する携帯端末と、無線通信が可能な通信手段と、情報を表示できる操作部とを有する画像形成装置とが通信可能な画像形成システムにおける表示制御方法であって、ＩＤ情報を元に表示する機能を決定する機能表示決定ステップ（図１２に示すステップ（Ｓ５０４））と、前記携帯端末と前記画像形成装置が双方の通信手段を用いて無線通信を行い、両者が通信可能範囲内での存在を確認する確認ステップ（図１２に示すステップ（Ｓ５０７））と、前記確認ステップによる確認結果と前記ＩＤ情報に基づいて、前記機能表示決定ステップにより決定されたカスタマイズ機能選択画面を前記操作部に表示する制御ステップ（図１２に示すステップ（Ｓ５１１））とを備えることを特徴とする。
【００２６】
本発明に係る第１４の発明は、ＩＤ情報を記憶するＩＤ情報記憶手段と、無線通信が可能な通信手段と、情報を表示できる表示部とを有する携帯端末と、情報を表示できる操作部と、通信する通信手段とを備える画像形成装置における表示制御方法であって、ＩＤ情報を元に表示する機能を決定する機能表示決定ステップ（図１２に示すステップ（Ｓ５０４））と、前記携帯端末と前記画像形成装置が双方の通信手段を用いて無線通信を行い、両者が通信可能範囲内での存在を確認する確認ステップ（図１２に示すステップ（Ｓ５０７））と、前記確認ステップによる確認結果と前記ＩＤ情報に基づいて、前記機能表示決定ステップにより決定されたカスタマイズ機能選択画面を前記操作部に表示する制御ステップ（図１２に示すステップ（Ｓ５１１））とを備えることを特徴とする。
【００２７】
本発明に係る第１５の発明は、第１３または第１４の発明の表示制御方法を実現するプログラムをコンピュータが読み取り可能な記憶媒体に記憶したことを特徴とする。
【００２８】
本発明に係る第１６の発明は、第１３または第１４の発明の表示制御方法を実現するプログラムであることを特徴とする。
【発明の効果】
【００２９】
本発明によれば、ＩＤ情報を記憶するＩＤ情報記憶手段と、無線通信が可能な通信手段と、情報を表示できる表示部とを有する携帯端末と、無線通信が可能な通信手段と、情報を表示できる操作部とを有する画像形成装置とが通信可能な画像形成システムにおいて、携帯端末と前記画像形成装置が双方の通信手段を用いて無線通信を行い、両者が通信可能範囲内での存在を確認し、該確認結果と前記ＩＤ情報に基づいて、決定されたカスタマイズ機能選択画面を前記操作部に表示することにより、携帯端末の存在域が通信可能範囲内外かに応じて、操作部に表示すべき機能設定画面表示を決定することができ、個人認証機器と成り得る携帯端末と通信を行うことで画像形成装置の操作部（機能）を個人用にカスタマイズできる。
【００３０】
また、携帯端末が検知範囲外に出た場合でも、対象携帯端末には電子メールなどの通信方法でジョブ状況が通知されるため、ジョブ中に、画像形成装置に張り付いている必要がなくなるとともに、逆に、画像形成装置の近くにいる場合は、ジョブ状況が表示され一目瞭然であると共に、無駄な通信が発生せず、利便性の向上とトラフィックの軽減に貢献できる等の効果を奏する。
【発明を実施するための最良の形態】
【００３１】
次に本発明を実施するための最良の形態について図面を参照して説明する。
【００３２】
以下、携帯端末と画像形成装置が無線通信を行い、携帯端末のＩＤ情報を元に画像形成装置側の操作部の表示を変え、携帯端末が検知範囲外に出た場合は操作部の表示が基本機能の表示となる第１実施形態について説明する。
【００３３】
〔第１実施形態〕
図１は、本発明の第１実施形態を示す画像形成システムの構成を説明するブロック図であり、例えば携帯端末が検知範囲内にいる場合は、ジョブ状況（例えば、ジョブ状況の一例として、外部装置或いはスキャナ或いは画像記憶メモリからの印刷データのプリント処理状況や、入力したジョブデータの他装置への送信処理状況等、ジョブデータの出力処理状況、進捗状況等）を操作部に表示可能で、範囲外に出た場合は電子メールで携帯端末にジョブ状況を伝達する場合について説明する。ここで示す構成は一例であり、図示の構成に限定されるものではない。
【００３４】
図１において、リーダ部（画像入力装置）２００は、原稿画像を光学的に読み取り、画像データに変換する。リーダ部２００は、原稿を読取るための機能を持つスキャナユニット２１０と、原稿用紙を搬送するための機能を持つ原稿給紙ユニット２５０等で構成される。
【００３５】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０等で構成される。
【００３６】
制御装置１１０は、リーダ部２００、プリンタ部３００と電気的に接続され、さらにＬＡＮ４００、無線通信媒体４１０、４１１を介して、ホストコンピュータ４０１、携帯端末４１２、４１３と接続されている。
【００３７】
制御装置１１０は、リーダ部２００を制御して、原稿の画像データを読込み、プリンタ部３００を制御して画像データを記録用紙に出力してコピー機能を提供する。また、リーダ部２００から読取った画像データを、コードデータに変換し、ＬＡＮ４００を介してホストコンピュータへ送信するスキャナ機能、ホストコンピュータからＬＡＮ４００を介して受信したコードデータを画像データに変換し、プリンタ部３００に出力するプリンタ機能を提供する。
【００３８】
操作部１５０は、制御装置１１０に接続され、液晶タッチパネルで構成され、画像入出力システムを操作するためのユーザＩ／Ｆを提供する。
【００３９】
本形態の、画像形成システム（画像形成装置とも呼ぶ）の構成は、リーダ部２００とプリンタ部３００とが同一筐体内にある構成でも良いし、リーダ部２００とプリンタ部３００とが互いに独立して別体タイプの構成でも良く、何れも本形態の後述の各種制御を適用可能である。又、本形態では、主に、スキャナからのジョブデータを自装置内部のメモリを介してプリンタ部によりプリントさせるコピーモードや、ホストコンピュータやファクシミリ装置等の外部装置から出力されたジョブデータを該メモリを介してプリントさせる外部プリントモードや、スキャナや外部装置から入力したジョブデータを一旦ハードディスク等の複数ジョブデータを記憶可能なメモリに保存しておき、自装置の操作部から入力されたユーザからの指示に応答して、該メモリから読み出してプリンタ部でプリントさせたり、他装置へ送信する、ボックスモード、等の少なくとも何れかの動作モードを含む複数の動作モード（複数の機能）を具備した所謂複合機能タイプの画像形成システムの場合で説明するが、本形態はこれに限らず、上記のような複数のモードのうちの一つの機能のみを有する、所謂単一機能タイプの画像形成システム（画像形成装置）でも、後述の各種の制御を含め、本形態を適用できる。
【００４０】
＜リーダ画像処理部の説明＞
図２は、図１に示したリーダ装置２００内に備えられたリーダ画像処理部２２２の詳細な構成を示すブロック図であり、図１と同一のものには同一の符号を付してある。
【００４１】
図２において、リーダ画像処理部２２２では、原稿はＣＣＤ２１８に読み取られて電気信号に変換される。なお、ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない。
【００４２】
そして、その電気信号（アナログ画像信号）はリーダ画像処理部２２２に入力され、クランプ＆Ａｍｐ．＆Ｓ／Ｈ＆Ａ／Ｄ部４５１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４５２で、シェーディング補正及び黒補正が施された後、制御装置１１０へと出力される。
【００４３】
図３は、図１に示した制御装置１１０の詳細構成を説明するブロック図であり、図１と同一のものには同一の符号を付してある。
【００４４】
＜制御装置の説明＞
図３において、メインコントローラ１１１は、主にＣＰＵ１１２と、バスコントローラ１１３、各種Ｉ／Ｆコントローラ回路とから構成される。
【００４５】
ＣＰＵ１１２とバスコントローラ１１３は、制御装置１１０全体の動作を制御するものであり、ＣＰＵ１１２はＲＯＭ１１４からＲＯＭ  Ｉ／Ｆ１１５を経由して読込んだプログラムに基づいて動作する。
【００４６】
また、ホストコンピュータ４０１から受信したＰＤＬ（ページ記述言語）コードデータを解釈し、ラスタイメージデータに展開する動作も、このプログラムに記述されており、ソフトウエアによって処理される。バスコントローラ１１３は各Ｉ／Ｆから入出力されるデータ転送を制御するものであり、バス競合時の調停やＤＭＡデータ転送の制御を行う。
【００４７】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００４８】
Ｃｏｄｅｃ１１８は、ＤＲＡＭ１１６に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１１９はＣｏｄｅｃ１１８の一時的なワーク領域として使用される。
【００４９】
Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００５０】
Ｇｒａｐｈｉｃ  Ｐｒｏｃｅｓｓｏｒ１３５は、ＤＲＡＭ１１６に蓄積されたラスタイメージデータに対して、画像回転、画像変倍、色空間変換、二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００５１】
外部通信Ｉ／Ｆコントローラ１２１はＩ／Ｆ１２３によってメインコントローラ１１１と接続され、コネクタ１２２によって外部ネットワークと接続される。汎用高速バス１２５には、拡張ボードを接続するための拡張コネクタ１２４とＩ／Ｏ制御部１２６とが接続される。汎用高速バスとしては、一般的にＰＣＩバスがあげられる。外部通信Ｉ／Ｆコントローラ１２１は、図示しない無線通信Ｉ／Ｆを備え、図１に示した携帯端末４１２，４１３と所定のプログラムとで通信可能に構成されている。
【００５２】
Ｉ／Ｏ制御部１２６には、リーダ部２００、プリンタ部３００の各ＣＰＵと制御コマンドを送受信するための調歩同期型のシリアル通信コントローラ１２７が２チャンネル装備されており、Ｉ／Ｏバス１２８によって外部Ｉ／Ｆ回路１４０，１４５に接続されている。
【００５３】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。また、ＳＲＡＭ１６３にはＩＤ情報と操作部１５０に表示するための機能情報が格納されており、ＩＤ情報に応じてタッチパネルの表示を変えるようになっている。
【００５４】
操作部１５０は、液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像形成装置の操作における機能表示や画像データ等を表示する。
【００５５】
リアルタイムクロックモジュール１３３は、機器内で管理する日付と時刻を更新／保存するためのもので、バックアップ電池１３４によってバックアップされている。Ｅ−ＩＤＥインタフェースコネクタ（Ｅ−ＩＤＥコネクタ）１６１は、外部記憶装置を接続するためのものである。
【００５６】
本実施形態においては、このＩ／Ｆを介してハードディスクドライブ１６０を接続し、ハードディスク１６２へ画像データを記憶させたり、ハードディスク１６２から画像データを読み込む動作を行う。
【００５７】
コネクタ１４２とコネクタ１４７は、それぞれリーダ部２００とプリンタ部３００とに接続されるための同調歩同期シリアルＩ／Ｆ（１４３，１４８）とビデオＩ／Ｆ（１４４，１４９）を備えている。
【００５８】
スキャナＩ／Ｆ１４０は、コネクタ１４２を介してリーダ部２００と接続され、また、スキャナバス１４１によってメインコントローラ１１１と接続されており、リーダ部２００から受け取った画像に対して所定の処理を施す機能を有し、さらに、リーダ部２００から送られたビデオ制御信号をもとに生成した制御信号を、スキャナバス１４１に出力する機能も有する。
【００５９】
スキャナバス１４１からＤＲＡＭ１１６へのデータ転送は、バスコントローラ１１３によって制御される。プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００６０】
ＤＲＡＭ１１６上に展開されたラスタイメージデータのプリンタ部への転送は、バスコントローラ１１３によって制御され、プリンタバス１４６、ビデオＩ／Ｆ１４９を経由して、プリンタ部３００へＤＭＡ転送される。
【００６１】
＜スキャナＩ／Ｆの画像処理部の説明＞
図４は、図３に示したスキャナＩ／Ｆ１４０の画像処理を担う部分の構成を説明するブロック図であり、図３と同一のものには同一の符号を付してある。
【００６２】
図４において、リーダ部２００から、コネクタ１４２を介して送られる画像信号に対して、つなぎ＆ＭＴＦ補正部６０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。そして、読取位置タイミングが補正されたデジタル信号は入力マスキング部６０２によって、ＣＣＤ２１８の分光特性及び図示しないランプ及びミラーの分光特性を補正する。
【００６３】
入力マスキング部６０２の出力はＡＣＳカウント部６０３及びメインコントローラ１１１へと送られる。
【００６４】
＜プリンタＩ／Ｆの画像処理部の説明＞
図５は、図３に示したプリンタＩ／Ｆ１４５の画像処理を担う部分の構成を説明するブロック図であり、図３と同一のものには同一の符号を付してある。
【００６５】
図５において、メインコントローラ１１１から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。
【００６６】
次に、モアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００６７】
＜Ｇｒａｐｈｉｃ  Ｐｒｏｃｅｓｓｏｒの説明＞
図６は、図３に示したＧｒａｐｈｉｃ  Ｐｒｏｃｅｓｓｏｒ１３５についての詳細な構成を説明するブロック図であり、図３と同一のものには同一の符号を付してある。
【００６８】
図６において、Ｇｒａｐｈｉｃ  Ｐｒｏｃｅｓｓｏｒ１３５は、画像回転、画像変倍、色空間変換、二値化の処理をそれぞれ行うモジュールを有する。ＳＲＡＭ１３６はＧｒａｐｈｉｃ  Ｐｒｏｃｅｓｓｏｒ１３５の各々のモジュールの一時的なワーク領域として使用される。各々のモジュールが用いるＳＲＡＭ１３６のワーク領域が競合しないよう、あらかじめ各々のモジュールごとにワーク領域が静的に割り当てられているものとする。
【００６９】
Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００７０】
バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００７１】
＜操作部の表示に関する説明＞
図７，図８は、図１に示した操作部１５０に表示される画面の一例を示す図であり、図７は、あらかじめ決められた基本画面であり、図８は、携帯端末からＩＤ情報を受信し、そのＩＤ情報から表示する機能を変更した場合の操作部１５０の表示画面に対応する。
【００７２】
図７において、コピーモードキー５０２４は、複写動作を行う場合に押すキーである。本実施形態では、このコピーモードキー５０２４が押下された状態が、基本画面となっている。
【００７３】
拡張機能キー５００１は、このキーを押すことによって両面複写、多重複写、移動、綴じ代の設定、枠消しの設定等のモードに入る。画像モードキー５００２は、複写画像に対して網掛け、影付け、トリミング、マスキングを行うための設定モードに入る。ユーザモードキー５００３は、モードメモリの登録、標準モード画面の設定が行える。
【００７４】
応用ズームキー５００４は、原稿のＸ方向、Ｙ方向を独立に変倍するモード、原稿サイズと複写サイズから変倍率を計算するズームプログラムのモードに入る。Ｍ１キー５００５、Ｍ２キー５００６、Ｍ３キー５００７は、それぞれに登録されたモードメモリを呼び出す際に押すキーである。
【００７５】
オプションキー５００９は、フィルムから直接複写するため、フィルムプロジェクタ等のオプション機能の設定を行うキーである。ソータキー５０１０は、ソート、ノンソート、グループの設定を行うキーである。
【００７６】
原稿混載キー５０１１は、原稿フィーダにＡ４サイズとＡ３サイズ、またはＢ５サイズとＢ４サイズの原稿を一緒にセットする際に押すキーである。等倍キー５０１２は、複写倍率を１００％にする際に押すキーである。
【００７７】
縮小キー５０１４、拡大キー５０１５は、定型の縮小、拡大を行う際に押すキーである。用紙選択キー５０１３は、複写用紙の選択を行う際に押すキーである。濃度キー５０１８、５０２０は、キー５０１８を押す毎に濃く複写され、キー５０２０を押す毎に薄く複写される。
【００７８】
濃度表示５０１７は、濃度キー５０１８、５０２０を押すと表示が左右に変化する。ＡＥキー５０１９は、新聞のように地肌の濃い原稿を自動濃度調整複写するときに押すキーである。
【００７９】
ＨｉＦｉキー５０２１は、写真原稿のように中間調の濃度が濃い原稿の複写の際に押すキーである。文字強調キー５０２２は、文字原稿の複写で文字を際だたせたい場合に押すキーである。ガイドキー５０２３は、あるキーの機能がわからないとき押すキーであり、そのキーの説明が表示される。ファックスキー５０２５は、ファックスを行うときに押すキーであり、ファイルキー５０２６は、ファイルデータを出力したいときに押すキーである。
【００８０】
プリンタキー５０２７は、プリントの濃度を変更する、あるいは、リモートのホストコンピュータからのＰＤＬデータのプリント出力詳細情報を参照したい場合に押すキーである。
【００８１】
５０２８はジョブ状況確認キーであり、このキーを押下すると、現在のジョブの状況が確認できる。これについては、図１２等にて説明する。
【００８２】
５０６０は履歴キーであり、これを押下することで、印刷済みのジョブの履歴情報を表示する。たとえば、印刷ジョブの、終了時刻、ユーザ名、ファイル名、印刷枚数等の情報を表示する。５０５０は、プリンタ選択キーであり、リモートコピーを行う場合の受信側複写機を選択する際に押すキーである。
【００８３】
携帯端末からＩＤ情報を受信し、そのＩＤ情報から表示する機能を変更した場合には、操作部１５０には、図８に示す画面が表示される。
【００８４】
図８において、該当ユーザがコピーのみの機能しか使用しない場合の表示の一例であり、ファクスキー５０２５、ファイルキー５０２６、プリンタキー５０２７は網掛けになっている。また、モードメモリ５００５、５００６、５００７やリモート選択キー５０５０も合わせて使用しない状態となっている。つまり、これらの機能が必要ないこのユーザの場合は、必要のない機能は選択できないようになっている。
【００８５】
図９は、図１に示した操作部１５０に表示されるジョブ状況画面の一例を示す図であり、例えば携帯端末をもったユーザが無線通信範囲内にいた場合に、ジョブの状況が操作部１５０に表示された場合の表示画面例である。
【００８６】
この画面は、図７または図８に示した画面上で、ジョブ状況確認キー５０２８を押下した場合に表示される。
【００８７】
図９において、７００１はジョブ状況を表す画面であり、ＪｏｂＮｏとそのジョブの状況が確認できる。また、７００２はＯＫキーであり、これを押下すると図７または図８に示す画面に戻ることとなる。
【００８８】
＜携帯端末の説明＞
図１０は、図１に示した携帯端末４１３の詳細構成を説明するブロック図であり、図１と同一のものには同一の符号を付してある。
【００８９】
なお、本実施形態では以下の構成を例に記載するが、本発明は情報通信を行うことが可能な機器に関して適用可能なものであり、特にこの図の通りに機能を限定するものではない。
【００９０】
図１０において、６０００はデータの送受信の総括を行う外部通信ユニットである。６００１は外部と情報のやり取りを行う為のデータ授受部であり、このデータ授受部は無線通信を行うアンテナなどが例として挙げられる。また、６００２は送信部で、データ授受部６００１に対して情報を送信する。
【００９１】
６００３は受信部で、データ授受部６００１から情報を受信する。６００４はマイクで、操作者及び周辺の音を電気信号に変換する。６００５はスピーカで、操作者及び周辺に対し電気信号を音に変換して出力する。６００６は操作部で、操作者が本携帯端末に対して指令を与える。
【００９２】
６００７はＣＰＵで、本携帯情報機器全体を制御する。６００８はメモリで、ＣＰＵ６００７が動作する上で必要な揮発性メモリ及び、検出した付加データを記憶するデータ記憶手段として機能する。６００９は表示部で、操作者及び周辺に対して機器の状態及びメッセージを通知する。
【００９３】
図１１は、図１０に示した表示部６００９の画面構成を説明する図であり、図１０に示した携帯端末４１３における表示部６００９の画面表示例に対応し、特に、画像形成装置から電子メールを受信した場合の画面例である。
【００９４】
図１１において、６１０１はメール送信者、この場合画像形成装置のアドレスになる。６１０２は電子メールの件名であり、この場合は、ジョブＮｏ．１００１のジョブの状況となっている。
【００９５】
６１０３は電子メール本文であり、ジョブＮｏ．１００１のジョブが、プリント実行中であることを示している。この電子メール通知は、例えば、ジョブの開始時、実行時、終了時、エラー発生時などに行われる。
【００９６】
なお、画像形成部が複数存在する場合などを考慮して、プリント実行中に、当該プリンタに割り当て、あるいはユーザが設定しているユニークなマシン名称を合わせて、あるいは切り替え表示可能に構成して、ユーザにそのプリンタを容易に特定できるように明示してもよい。
【００９７】
図１２は、本発明に係る画像形成システムにおける第１のデータ処理手順の一例を示すフローチャートであり、例えば携帯端末と画像形成装置が無線通信を行い、ジョブ動作が行われ、ジョブ状況表示を行うまでの一連の動作手順に対応する。なお、Ｓ５０１〜Ｓ５１５は各ステップを示す。
【００９８】
まず、ステップＳ５０１では、画像形成装置が携帯端末を検知したかどうかを確認して、検知していないと判断した場合は、検知するまでこの処理が続く。
【００９９】
そして、ステップＳ５０１で、検知したと判断した場合、ステップＳ５０２でここで検知する前にすでに検知した携帯端末があるかどうかを判断している。すでに検知したものがある場合は、先に検知した方が有効となるため、後からきたものは無効となり、ステップＳ５０１に戻り、前の携帯端末が検知範囲外に出るまで待つこととなる。
【０１００】
一方、ステップＳ５０２で占有したと判断した場合は、ステップＳ５０３で携帯端末と画像形成装置がＩＤ情報の通信を行う。そして、ステップＳ５０４ではそのＩＤ情報を元に、画像形成装置内で操作部に表示する機能を決定し、ステップＳ５０５でその機能の表示を行う。
【０１０１】
次に、ステップＳ５０６でジョブ投入が行われ、その後、ステップＳ５０７で携帯端末が検知範囲外に出たかどうかを判断して、出ていないと判断した場合は、ステップＳ５０８で、ジョブ状況確認キーが押下されたかどうかを判断して、押下されたと判断した場合、ステップＳ５０９で、図９に示したように、操作部にジョブ状況の表示を行う。
【０１０２】
そして、ステップＳ５１０では携帯端末が検知範囲外に出たかどうかを判断して、出ていないと判断した場合は、ステップＳ５０６に戻り、次のジョブ投入を待つ。
【０１０３】
一方、ステップＳ５１０で検知範囲外に出ていると判断した場合は、ステップＳ５０１に戻り、携帯端末を検知したかどうかの確認に戻る。
【０１０４】
一方、ステップＳ５０７で携帯端末が検知範囲外に出ていたと判断した場合、画像形成装置側では、ステップＳ５０１に戻り、次の検知を待つことになる。
【０１０５】
また、操作部は、ステップＳ５１１で、図７に示したように、基本機能の表示を行う。
【０１０６】
そして、ステップＳ５１２ではジョブ状況が変化したかどうかを判断して、変化したと判断した場合、ステップＳ５１３で携帯端末４１３に対して画像形成装置からメールを送信する。すると、ステップＳ５１４で携帯端末４１３でメールの受信を行い、ステップＳ５１５で、図１１に示すように携帯端末４１３上にジョブ状況の表示を行って、処理を終了する。
【０１０７】
尚、後述の形態を含め本形態の携帯端末と例としては、携帯電話やノートパソコン等、ユーザにより携帯可能な装置で且つ本画像形成装置とデータ通信可能な装置で且つ画像形成装置からの情報を例えば表示画面等のユーザインターフェースを介してユーザに通知可能な装置であれば適用可能である。
【０１０８】
〔第２実施形態〕
以下、携帯端末と画像形成装置が無線通信を行い、携帯端末のＩＤ情報を元に画像形成装置側の操作部の表示を変え、携帯端末が検知範囲外に出た場合は操作部の表示をまったく行わない第２実施形態について説明する。
【０１０９】
また、携帯端末が検知範囲内にいる場合は、第１実施形態と同様にジョブ状況を操作部に表示可能で、範囲外に出た場合は電子メールで携帯端末にジョブ状況を伝達する場合について説明する。ここで示す構成は一例であり、本構成に限定されるものではない。
【０１１０】
なお、本実施形態におけるハード構成は、第１実施形態と同様であるので、差分のみ説明する。
【０１１１】
本実施形態と第１実施形態との差分は、携帯端末が検知範囲外に出た場合は操作部の表示をまったく行わない点であり、つまりは、第１実施形態で携帯端末４１３が検知範囲外に出た場合に、図７に示す表示が実行されない点である。
【０１１２】
図１３は、本発明に係る画像形成システムにおける第２のデータ処理手順の一例を示すフローチャートであり、例えばは携帯端末と画像形成装置が無線通信を行い、ジョブ動作が行われ、ジョブ状況表示を行うまでの一連の動作手順に対応する。なお、Ｓ６０１〜Ｓ６１５は各ステップを示す。また、ステップＳ６１１を除いて、図１２に示したステップＳ５０１〜Ｓ５１０，Ｓ５１２〜Ｓ５１５は同様のステップであるので、説明は省略する。
【０１１３】
、一方、ステップＳ６０７で携帯端末が検知範囲外に出ていたと判断した場合、画像形成装置側では、ステップＳ６０１に戻り、次の検知を待つことになる。
【０１１４】
また、操作部は、ステップＳ６１１で、図７に示したように、基本機能の表示を行うことなく、ステップＳ６１２へ進む。
【０１１５】
上記各実施形態によれば、個人認証機器と成り得る携帯端末と通信を行うことで画像形成装置の操作部（機能）を個人用にカスタマイズできるようになる。
【０１１６】
また、検知範囲外に出た場合でも、対象携帯端末には電子メールなどの通信方法でジョブ状況が通知されるため、ジョブ中に、画像形成装置に張り付いている必要がない。
【０１１７】
逆に、画像形成装置の近くにいる場合は、ジョブ状況が表示され一目瞭然であると共に、無駄な通信が発生せず、この点に関しても利便性の向上、トラフィックの軽減に貢献できる。
【０１１８】
また、第１実施形態によると、検知範囲外に出た場合は、操作部はあらかじめ初期状態に設定された画面となるため、携帯端末を持ち合わせていないユーザでも限定された機能のみ使用することができ、ユーザに対する利便性向上と、セキュリティ確保に貢献できる。
【０１１９】
さらに、検知範囲外に出た場合は、操作部は表示をまったく行わないため、ユーザは携帯端末を持ち合わせていなければ操作ができず、高いセキュリティを保つことができる。
【０１２０】
また、第１実施形態によると、検知範囲外に出た場合は、操作部はあらかじめ初期状態に設定された画面となるため、携帯端末を持ち合わせていないユーザでも限定された機能のみ使用することができ、ユーザに対する利便性向上と、セキュリティ確保に貢献できる。
【０１２１】
第２実施形態によると、検知範囲外に出た場合は、操作部は表示をまったく行わないため、ユーザは携帯端末を持ち合わせていなければ操作ができず、高いセキュリティを保つことができる。
【０１２２】
尚、本発明は、上記した実施形態に限定されるものではなく、本発明の要旨を逸脱しない範囲内において種々変更を加え得ることは勿論である。
【０１２３】
以下、図１４に示すメモリマップを参照して本発明に係る画像形成システムで読み取り可能なデータ処理プログラムの構成について説明する。
【０１２４】
図１４は、本発明に係る画像形成システムで読み取り可能な各種データ処理プログラムを格納する記憶媒体のメモリマップを説明する図である。
【０１２５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２７】
本実施形態における図１２，図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２９】
この場合、記憶媒体から読み出されたプログラムコード自体が本発明の新規な機能を実現することになり、そのプログラムコードを記憶した記憶媒体は本発明を構成することになる。
【０１３０】
従って、プログラムの機能を有していれば、オブジェクトコード、インタプリタにより実行されるプログラム、ＯＳに供給するスクリプトデータ等、プログラムの形態を問わない。
【０１３１】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１３２】
この場合、記憶媒体から読出されたプログラムコード自体が前述した実施形態の機能を実現することになり、そのプログラムコードを記憶した記憶媒体は本発明を構成することになる。
【０１３３】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１３４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１３５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３７】
本発明は上記実施形態に限定されるものではなく、本発明の趣旨に基づき種々の変形（各実施形態の有機的な組合せを含む）が可能であり、それらを本発明の範囲から排除するものではない。
【０１３８】
本発明の様々な例と実施形態を示して説明したが、当業者であれば、本発明の趣旨と範囲は、本明細書内の特定の説明に限定されるのではない。
【産業上の利用可能性】
【０１３９】
本実施形態を適用可能な携帯端末は、ＰＤＡに限らず、携帯電話や通信機能付きのデジタルカメラ等であっても本発明を適用可能である。
【図面の簡単な説明】
【０１４０】
【図１】本発明の第１実施形態を示す画像形成システムの構成を説明するブロック図である。
【図２】図１にリーダ装置内に備えられたリーダ画像処理部２２２の詳細な構成を示すブロック図である。
【図３】図１に示した制御装置の詳細構成を説明するブロック図である。
【図４】図３に示したスキャナＩ／Ｆの画像処理を担う部分の構成を説明するブロック図である。
【図５】図３に示したプリンタＩ／Ｆ１４５の画像処理を担う部分の構成を説明するブロック図である。
【図６】図３に示したＧｒａｐｈｉｃ  Ｐｒｏｃｅｓｓｏｒ１３５についての詳細な構成を説明するブロック図である。
【図７】図１に示した操作部に表示される画面の一例を示す図である。
【図８】図１に示した操作部に表示される画面の一例を示す図である。
【図９】図１に示した操作部に表示されるジョブ状況画面の一例を示す図である。
【図１０】図１に示した携帯端末の詳細構成を説明するブロック図である。
【図１１】図１０に示した表示部の画面構成を説明する図である。
【図１２】本発明に係る画像形成システムにおける第１のデータ処理手順の一例を示すフローチャートである。
【図１３】本発明に係る画像形成システムにおける第２のデータ処理手順の一例を示すフローチャートである。
【図１４】本発明に係る画像形成システムで読み取り可能な各種データ処理プログラムを格納する記憶媒体のメモリマップを説明する図である。
【符号の説明】
【０１４１】
１１０  コントローラ部
１５０  操作部
４１２，４１３  携帯端末
【図１】
2005114790.tif 000003
【図２】
2005114790.tif 000004
【図３】
2005114790.tif 000005
【図４】
2005114790.tif 000006
【図５】
2005114790.tif 000007
【図６】
2005114790.tif 000008
【図７】
2005114790.tif 000009
【図８】
2005114790.tif 000010
【図９】
2005114790.tif 000011
【図１０】
2005114790.tif 000012
【図１１】
2005114790.tif 000013
【図１２】
2005114790.tif 000014
【図１３】
2005114790.tif 000015
【図１４】
2005114790.tif 000016